(57)【要約】【課題】  出力用紙を容易に貼り合わせることが可能な多機能プリンタ装置を提供する。【解決手段】  原稿画像を記憶する画像メモリと、拡大後のサイズまたは拡大倍率を入力する手段と、出力用紙として使用する用紙のサイズを選択する手段と、原稿画像を入力し、画像メモリへ格納する手段と、入力された拡大後のサイズまたは拡大倍率と、選択された用紙サイズに基づいて、画像メモリに格納されている原稿画像の分割数を算出する手段と、拡大後のサイズまたは拡大倍率と、用紙サイズに基づいて、印刷時に発生する余白量を算出する手段と、分割数に基づいて、画像メモリに格納されている原稿画像の画像データを分割し、余白量に基づく余白部を設けた出力用紙１枚分の画像データを生成する手段と、出力用紙１枚分の画像データをそれぞれ印刷する手段とを備える。【選択図】    図１
2005223833.tif 000002
【特許請求の範囲】
【請求項１】
原稿画像を記憶する画像メモリと、
拡大後のサイズまたは拡大倍率を入力する入力手段と、
出力用紙として使用する用紙のサイズを選択する用紙選択手段と、
原稿画像を入力し、前記画像メモリへ格納する画像入力手段と、
前記入力手段から入力された拡大後のサイズまたは拡大倍率と、前記用紙選択手段によって選択された用紙サイズに基づいて、前記画像メモリに格納されている原稿画像の分割数を算出する分割数算出手段と、
前記入力手段から入力された拡大後のサイズまたは拡大倍率と、前記用紙選択手段によって選択された用紙サイズに基づいて、印刷時に発生する余白量を算出する余白量算出手段と、
前記分割数に基づいて、前記画像メモリに格納されている原稿画像の画像データを分割し、前記余白量に基づく余白部を設けた出力用紙１枚分の画像データを生成する画像分割手段と、
前記出力用紙１枚分の画像データをそれぞれ印刷する印刷手段と
を備えたことを特徴とする多機能プリンタ装置。
【請求項２】
前記画像分割手段は、複数の出力用紙を互いに貼り合わせる側に前記余白部を設けたことを特徴とする請求項１に記載の多機能プリンタ装置。
【請求項３】
原稿画像を記憶する画像メモリと、
拡大後のサイズまたは拡大倍率を入力する入力手段と、
出力用紙として使用する用紙のサイズを選択する用紙選択手段と、
複数の出力用紙を互いに貼り合わせた場合に得られる拡大画像の周囲に設ける余白の量を入力する余白量入力手段と、
原稿画像を入力し、前記画像メモリへ格納する画像入力手段と、
前記入力手段から入力された拡大後のサイズまたは拡大倍率と、前記用紙選択手段によって選択された用紙サイズと、前記余白量入力手段から入力された余白量とに基づいて、前記画像メモリに格納されている原稿画像の分割数を算出する分割数算出手段と、
前記分割数に基づいて、前記画像メモリに格納されている原稿画像の画像データを分割し、前記余白量に基づく余白部を設けた出力用紙１枚分の画像データを生成する画像分割手段と、
前記出力用紙１枚分の画像データをそれぞれ印刷する印刷手段と
を備えたことを特徴とする多機能プリンタ装置。
【請求項４】
原稿画像を記憶する画像メモリと、拡大後のサイズまたは拡大倍率を入力する入力手段と、出力用紙として使用する用紙のサイズを選択する用紙選択手段と、原稿画像を入力し、前記画像メモリへ格納する画像入力手段とを備えた多機能プリンタ装置上で動作する画像印刷プログラムであって、
前記入力手段から入力された拡大後のサイズまたは拡大倍率と、前記用紙選択手段によって選択された用紙サイズに基づいて、前記画像メモリに格納されている原稿画像の分割数を算出する分割数算出処理と、
前記入力手段から入力された拡大後のサイズまたは拡大倍率と、前記用紙選択手段によって選択された用紙サイズに基づいて、印刷時に発生する余白量を算出する余白量算出処理と、
前記分割数に基づいて、前記画像メモリに格納されている原稿画像の画像データを分割し、前記余白量に基づく余白部を設けた出力用紙１枚分の画像データを生成する画像分割処理と、
前記出力用紙１枚分の画像データをそれぞれ印刷する印刷処理と
をコンピュータに行わせることを特徴とする画像印刷プログラム。
【請求項５】
原稿画像を記憶する画像メモリと、拡大後のサイズまたは拡大倍率を入力する入力手段と、出力用紙として使用する用紙のサイズを選択する用紙選択手段と、複数の出力用紙を互いに貼り合わせた場合に得られる拡大画像の周囲に設ける余白の量を入力する余白量入力手段と、原稿画像を入力し、前記画像メモリへ格納する画像入力手段とを備えた多機能プリンタ装置上で動作する画像印刷プログラムであって、
前記入力手段から入力された拡大後のサイズまたは拡大倍率と、前記用紙選択手段によって選択された用紙サイズと、前記余白量入力手段から入力された余白量とに基づいて、前記画像メモリに格納されている原稿画像の分割数を算出する分割数算出処理と、
前記分割数に基づいて、前記画像メモリに格納されている原稿画像の画像データを分割し、前記余白量に基づく余白部を設けた出力用紙１枚分の画像データを生成する画像分割処理と、
前記出力用紙１枚分の画像データをそれぞれ印刷する印刷処理と
をコンピュータに行わせることを特徴とする画像印刷プログラム。
【発明の詳細な説明】
【技術分野】
【０００１】
本発明は、拡大連写機能を有する多機能プリンタ装置及び画像印刷プログラムに関する。
【背景技術】
【０００２】
従来から用紙サイズと原稿サイズと変倍率とから、原稿画像が出力用紙１枚に入りきらない場合、原稿画像を自動的に複数の領域に分割し、分割された画像情報を複数枚の用紙に記録する拡大連写機能を有するデジタル複写装置が知られている（例えば、特許文献１参照）。図５に示すように、Ａ４サイズの原稿２１を２００％に拡大すると４枚のＡ４サイズの出力用紙２２〜２５を貼り合わせることによりＡ２サイズの拡大画像を得ることが可能である。
【特許文献１】特開平０５−３２８１０２号公報
【発明の開示】
【発明が解決しようとする課題】
【０００３】
ところで、拡大連写機能を使用する場合に、拡大倍率を指定する必要があるが、従来の多機能プリンタ装置においては、仕上がりサイズを指定する方法と拡大倍率値を入力する方法がある。仕上がりサイズを指定して拡大を行う場合は、原稿サイズと拡大後サイズが共に紙の寸法規格（Ａ列、Ｂ列）である用紙を指定するため、図５に示すように問題なく画像の拡大を行うことが可能である。また、拡大倍率値を入力する場合であっても、図５に示すように、拡大倍率値を２００％と指定した場合は、結果的に仕上がりサイズが紙の寸法規格の用紙を指定したことと等価であるため、得られる拡大画像には問題がない。
しかしながら、図６に示すように、拡大倍率値を１７０％と入力した場合、拡大後の画像サイズ（符号３１で示すサイズ）に一致する用紙サイズがない場合もあるため、Ａ４サイズの出力用紙３２〜３５によって出力すると余分な余白部分ができてしまう。この問題は、出力用紙に市販の用紙を使用し、拡大倍率値に任意の値を入力することができる限り解決しないという問題がある。
【０００４】
本発明は、このような事情に鑑みてなされたもので、出力用紙を貼り合わせて拡大画像を得る場合に、余白部分を最適化することが可能な多機能プリンタ装置及び画像印刷プログラムを提供することを目的とする。
【課題を解決するための手段】
【０００５】
請求項１に記載の発明は、原稿画像を記憶する画像メモリと、拡大後のサイズまたは拡大倍率を入力する入力手段と、出力用紙として使用する用紙のサイズを選択する用紙選択手段と、原稿画像を入力し、前記画像メモリへ格納する画像入力手段と、前記入力手段から入力された拡大後のサイズまたは拡大倍率と、前記用紙選択手段によって選択された用紙サイズに基づいて、前記画像メモリに格納されている原稿画像の分割数を算出する分割数算出手段と、前記入力手段から入力された拡大後のサイズまたは拡大倍率と、前記用紙選択手段によって選択された用紙サイズに基づいて、印刷時に発生する余白量を算出する余白量算出手段と、前記分割数に基づいて、前記画像メモリに格納されている原稿画像の画像データを分割し、前記余白量に基づく余白部を設けた出力用紙１枚分の画像データを生成する画像分割手段と、前記出力用紙１枚分の画像データをそれぞれ印刷する印刷手段とを備えたことを特徴とする。
【０００６】
請求項２に記載の発明は、前記画像分割手段は、複数の出力用紙を互いに貼り合わせる側に前記余白部を設けたことを特徴とする。
【０００７】
請求項３に記載の発明は、原稿画像を記憶する画像メモリと、拡大後のサイズまたは拡大倍率を入力する入力手段と、出力用紙として使用する用紙のサイズを選択する用紙選択手段と、複数の出力用紙を互いに貼り合わせた場合に得られる拡大画像の周囲に設ける余白の量を入力する余白量入力手段と、原稿画像を入力し、前記画像メモリへ格納する画像入力手段と、前記入力手段から入力された拡大後のサイズまたは拡大倍率と、前記用紙選択手段によって選択された用紙サイズと、前記余白量入力手段から入力された余白量とに基づいて、前記画像メモリに格納されている原稿画像の分割数を算出する分割数算出手段と、前記分割数に基づいて、前記画像メモリに格納されている原稿画像の画像データを分割し、前記余白量に基づく余白部を設けた出力用紙１枚分の画像データを生成する画像分割手段と、前記出力用紙１枚分の画像データをそれぞれ印刷する印刷手段とを備えたことを特徴とする。
【０００８】
請求項４に記載の発明は、原稿画像を記憶する画像メモリと、拡大後のサイズまたは拡大倍率を入力する入力手段と、出力用紙として使用する用紙のサイズを選択する用紙選択手段と、原稿画像を入力し、前記画像メモリへ格納する画像入力手段とを備えた多機能プリンタ装置上で動作する画像印刷プログラムであって、前記入力手段から入力された拡大後のサイズまたは拡大倍率と、前記用紙選択手段によって選択された用紙サイズに基づいて、前記画像メモリに格納されている原稿画像の分割数を算出する分割数算出処理と、前記入力手段から入力された拡大後のサイズまたは拡大倍率と、前記用紙選択手段によって選択された用紙サイズに基づいて、印刷時に発生する余白量を算出する余白量算出処理と、前記分割数に基づいて、前記画像メモリに格納されている原稿画像の画像データを分割し、前記余白量に基づく余白部を設けた出力用紙１枚分の画像データを生成する画像分割処理と、前記出力用紙１枚分の画像データをそれぞれ印刷する印刷処理とをコンピュータに行わせることを特徴とする。
【０００９】
請求項５に記載の発明は、原稿画像を記憶する画像メモリと、拡大後のサイズまたは拡大倍率を入力する入力手段と、出力用紙として使用する用紙のサイズを選択する用紙選択手段と、複数の出力用紙を互いに貼り合わせた場合に得られる拡大画像の周囲に設ける余白の量を入力する余白量入力手段と、原稿画像を入力し、前記画像メモリへ格納する画像入力手段とを備えた多機能プリンタ装置上で動作する画像印刷プログラムであって、前記入力手段から入力された拡大後のサイズまたは拡大倍率と、前記用紙選択手段によって選択された用紙サイズと、前記余白量入力手段から入力された余白量とに基づいて、前記画像メモリに格納されている原稿画像の分割数を算出する分割数算出処理と、前記分割数に基づいて、前記画像メモリに格納されている原稿画像の画像データを分割し、前記余白量に基づく余白部を設けた出力用紙１枚分の画像データを生成する画像分割処理と、前記出力用紙１枚分の画像データをそれぞれ印刷する印刷処理とをコンピュータに行わせることを特徴とする。
【発明の効果】
【００１０】
本発明によれば、原稿画像を拡大連写機能により複数の用紙に印刷した場合に発生する余白位置を最適な位置に配置することが可能となる。また、余白部分を複数の出力用紙を互いに貼り合わせる側に設けるようにしたため、複数の出力用紙を貼り合わせた場合に余白がない拡大画像を得ることが可能になるという効果が得られる。
また、拡大画像の周囲に任意の量の余白を設けることができるため、複数の出力用紙を貼り合わせた場合に得られる拡大画像の周囲に装飾を施すなどのニーズに対応することが可能になるという効果が得られる。
【発明を実施するための最良の形態】
【００１１】
以下、本発明の一実施形態による多機能プリンタ装置を図面を参照して説明する。図１は同実施形態の構成を示すブロック図である。この図において、符号１は、印刷動作全体の制御を行う制御部である。符号２は、印刷対象の画像データを記憶する画像メモリである。符号３は、スキャナで構成される画像読み取り部である。符号４は、液晶のディスプレイから構成される表示部である。符号５は、テンキーやファンクションキーから構成される入力部である。符号６は、拡大連写機能を実行する場合に余白部分を最適な位置に設ける処理を行う余白処理部である。符号７は、用紙を給紙して排紙するまでの搬送を制御して画像データの印刷処理を行う印刷処理部である。符号９は、多機能プリンタ装置が接続されるコンピュータネットワークである。符号１０は、コンピュータネットワークと多機能プリンタ装置との間で情報の授受を行うネットワークインタフェースである。符号１１は、コンピュータネットワーク９に接続されるコンピュータから送信された印刷用の画像データを入力する画像データ入力部である。
なお、図１に示す多機能プリンタ装置は、画像をスキャナで読み取って用紙に印刷する複写機能、画像データを入力し、用紙に印刷するプリンタ機能を少なくとも有している。
【００１２】
次に、図２を参照して、図１に示す多機能プリンタ装置の動作を説明する。図２は、図１に示す多機能プリンタ装置の動作を示すフローチャートである。ここでは、拡大連写機能を使用して、Ａ４サイズの原稿を１７０％拡大した印刷物を得るものとして説明する。
【００１３】
まず、使用者はＡ４サイズの原稿２１を画像読み取り部３の画像読み取り面上に置き、入力部５から拡大連写機能を選択する操作を行う。これを受けて、制御部１は、表示部４に対して、拡大方法の選択を指示するメッセージを表示する。拡大方法指定は、仕上がりサイズ（Ａ０、Ａ１、Ａ２等）を選択するか、または拡大倍率（１００〜４００％）を数値入力する。ここで使用者は、拡大倍率として、入力部５から「１７０％」と入力したものとする。また使用者は、出力用紙として使用する用紙のサイズを入力部５を操作して選択する。ここでは、用紙サイズとして「Ａ４」が選択されたものとする。続いて、制御部１は、表示部４に対して、余白処理の選択を指示するメッセージを表示する。余白処理には、「貼り合わせる側に余白を設ける処理」と「周囲に余白を設ける処理」のいずれかを選択する。ここで使用者は、入力部５を操作して、余白処理として、「貼り合わせる側に余白を設ける処理」を選択したものとする。これを受けて、制御部１は、入力または選択された拡大倍率「１７０％」と使用用紙サイズ「Ａ４」と「貼り合わせる側に余白を設ける処理」を内部に保持する。これにより、制御部１内に印刷条件が入力されたこととなる（ステップＳ１）。そして、使用者は印刷開始キーを押す。
【００１４】
次に、制御部１は、入力された印刷条件の印刷が可能であるか否かを判定する（ステップＳ２）。この判定は、選択された使用用紙サイズの用紙を給紙することが可能か、拡大後の画像データのサイズが画像メモリ２の容量を超えていないか、拡大倍率が画像読み取り部３が有している解像度の能力を超えていないか（拡大した場合に画質が低下してしまう拡大倍率になっていないか）を満たしているか否かを判定する。この判定の結果、満たしていないものがあれば、制御部１は、表示部４へエラーメッセージを表示する（ステップＳ３）。ここで表示するエラーメッセージは、条件を満たしていないものについてそれぞれについてエラーを解除する指示が含まれる。選択された使用用紙サイズの用紙を給紙できない状態である場合は、給紙可能な用紙を選択するか、用紙の補給をさせる指示を表示する。また、拡大後の画像データのサイズが画像メモリ２の容量を超えている場合は、原稿サイズを小さくするか、拡大倍率（または仕上がりサイズ）を小さくさせる指示を表示する。また、拡大倍率が画像読み取り部３が有している解像度の能力を超えている場合は、拡大倍率（または仕上がりサイズ）を小さくさせる指示を表示する。エラーメッセージを表示後、制御部１は再び印刷条件入力待ちとなる。
【００１５】
次に、入力された印刷条件で印刷が可能である場合に、制御部１は、画像読み取り部３に対して、画像読み取り指示を出す。これを受けて画像読み取り部３は、原稿画像を読み取り、得られた画像データを画像メモリ２へ格納する（ステップＳ４）。そして、画像読み取り部３は、画像読み取りが終了した時点で、読み取り終了を制御部１へ通知する。
【００１６】
次に、制御部１は、印刷条件（拡大倍率と使用用紙サイズ）に基づいて、画像メモリ２内に記憶されている原稿画像の分割数を算出する（ステップＳ５）。分割数は、以下の（１）（２）式によって算出する。ここでは、原稿の横方向をＸ方向、縦方向をＹ方向と称する。ここでいう横方向、縦方向とは、画像読み取り部３の画像読み取り面との相対的な位置関係の表現である。
ｍ＝Ｘ０×ＳＸ／Ｘ１（ただし、小数点以下切り上げ）  ・・・（１）
ｎ＝Ｙ０×ＳＹ／Ｙ１（ただし、小数点以下切り上げ）  ・・・（２）
ここで、ｍ：Ｘ方向の分割数（列の数）、
ｎ：Ｙ方向の分割数（行の数）、
Ｘ０：原稿のＸ方向のサイズ、
Ｙ０：原稿のＹ方向のサイズ、
ＳＸ：Ｘ方向の拡大倍率、
ＳＹ：Ｙ方向の拡大倍率、
Ｘ１：使用用紙のＸ方向のサイズ、
Ｙ１：使用用紙のＹ方向のサイズ
である。
【００１７】
この例では、原稿サイズがＡ４（２９７×２１０ｍｍ）であり、拡大倍率が１７０％であるので、ｍ＝２、ｎ＝２となるため、２行２列の分割数となり、４枚のＡ４用紙を使用して拡大画像を得ることになる。
なお、通常の複写機能の場合は縦方向の拡大倍率と横方向の拡大倍率とは同一であるため、ｍ、ｎは同じ値になるが、縦方向、横方向それぞれ異なる倍率を指定することができる場合において、ｍ、ｎの値は異なる値となる場合がある。
【００１８】
次に、制御部１は、画像メモリ２に記憶されている画像データに対して拡大倍率に基づいて拡大処理を施し、この拡大した画像データを算出した分割数ｍ、ｎに基づいて分割した出力用紙１枚分の画像データをそれぞれ切り出し（ステップＳ６）、画像メモリの新たな領域に記憶する。この処理によって、画像メモリ２に記憶されている画像データは、図３に示すように４分割（符号２１ａ〜２１ｄ）されることとなり、出力用紙４枚分の画像データが画像メモリ２に新たに記憶されることとなる。
【００１９】
次に、制御部１は、余白処理部６に対して、拡大倍率と、分割数ｍ、ｎと使用用紙サイズと余白処理の方法を通知して、余白処理を行うように指示する。これを受けて、余白処理部６は、余白量を計算する（ステップＳ７）。余白量は、以下の（３）（４）式によって算出する。
ＴＸ＝（Ｘ１×ｍ−Ｘ０×ＳＸ）／（ｍ×２−２）  ・・・（３）
ＴＹ＝（Ｙ１×ｎ−Ｙ０×ＳＹ）／（ｎ×２−２）  ・・・（４）
ここで、ＴＸ：Ｘ方向の余白量、
ＴＹ：Ｙ方向の余白量、
ｍ：Ｘ方向の分割数（列の数）、
ｎ：Ｙ方向の分割数（行の数）、
Ｘ０：原稿のＸ方向のサイズ、
Ｙ０：原稿のＹ方向のサイズ、
ＳＸ：Ｘ方向の拡大倍率、
ＳＹ：Ｙ方向の拡大倍率、
Ｘ１：使用用紙のＸ方向のサイズ、
Ｙ１：使用用紙のＹ方向のサイズ
である。
これにより、余白量ＴＸ、ＴＹが得られたことになる。
【００２０】
次に、余白処理部６は、求めた余白量ＴＸ、ＴＹに基づいて、画像メモリ２内に記憶されている出力用紙１枚分の画像データ中に余白を設ける処理を行う（ステップＳ８）。この余白を設ける処理は、画像メモリ２内に記憶されている出力用紙１枚分の画像データを使用用紙（Ａ４）内の領域において余白量ＴＸ、ＴＹ分だけ移動することにより実現する。ただし、余白を設ける位置は、４つの画像データそれぞれが異なり、元の画像を分割するときに切断した辺（複数の出力用紙を互いに貼り合わせる辺）に設ける。
したがって、分割数が３行３列の場合においては、２行２列目の出力用紙用画像データには全ての辺に余白が設けられ、２行２列目を除く２行目と２列目の出力用紙用画像データには３つの辺に余白が設けられることとなる。
この処理によって、画像メモリ２には、図３に示すように、各出力用紙毎に複数の出力用紙を互いに貼り合わせる辺に対して、余白量ＴＸ、ＴＹに基づく余白を設けた出力用紙４２、４３、４４、４５を印刷するための画像データが記憶されたこととなる。
【００２１】
次に、余白処理部６は、余白処理が終了したことを制御部１へ通知する。これを受けて、制御部１は、出力用紙１枚分の画像データを画像メモリ２から読み出し、印刷処理部７へ受け渡す。印刷処理部７は、制御部１から受け取った画像データの印刷を行う（ステップＳ９）。印刷された出力用紙は、排紙トレイへ排紙される。この動作をｍ×ｎ回繰り返し行い（ステップＳ１０）、全ての画像データを印刷する。
【００２２】
これにより、２行２列に分割した画像データの印刷が行われ、４枚のＡ４サイズの出力用紙が得られることとなる。使用者がこの４枚の出力用紙の余白部分をのりしろとして貼り合わせることにより（ただし、出力用紙４３、４４ののりしろは切り落とす）、図３に示すように、Ａ４サイズを１７０％に拡大したサイズの拡大画像４１が得られる。
【００２３】
次に、入力部５から入力された余白量を周囲に設ける場合の動作を説明する。ここでは、前述した動作と異なる部分のみを説明する。
まず、使用者が入力部５を操作して、「周囲に余白を設ける処理」を選択すると、制御部１は、周囲に設ける余白の量の入力を指示するメッセージを表示部４へ表示する。ここで使用者は、入力部５を操作して、左端の余白量Ｔ１、右端の余白量Ｔ２、上端の余白量Ｔ３及び下端の余白量Ｔ４を入力する。ここで、Ｔ１、Ｔ２、Ｔ３及びＴ４は、０以上の任意の数値である。これを受けて制御部１は、４つの余白量を内部に保持する。そして制御部１は、（Ｘ１×ｍ−Ｘ０×ＳＸ）＞Ｔ１＋Ｔ２を満たしているかを判定する。この結果、満たしていない場合のみ、ｍの値に「１」を加える。また、（Ｙ１×ｎ−Ｙ０×ＳＹ）＞Ｔ３＋Ｔ４を満たしていなければ、ｎの値に「１」を加える。すなわち、拡大倍率と使用用紙のサイズとの関係から必ず発生する余白量より、入力された余白量の方が大きい場合は、２行２列の分割を３行３列に分割して入力された余白量を確保する。そして、余白処理部６は、図４に示すように、拡大画像を印刷して得られる出力用紙の周囲に、入力された余白量Ｔ１、Ｔ２、Ｔ３、Ｔ４を設け、残りの余白量は、前述したように、複数の出力用紙を互いに貼り合わせる辺に設けるように、画像データの移動処理を施す。図４は、複数の出力用紙を互いに貼り合わせる辺に設ける余白がない場合の例を示している。
これにより、出力用紙を貼り合わせた状態において、入力部５から任意に入力した余白量を設けた拡大画像を得ることが可能となる。
【００２４】
なお、コンピュータネットワーク９に接続されたコンピュータから送信された画像印刷データに基づいて印刷動作を行う場合は、画像印刷データをネットワークインタフェース１０を介して画像データ入力部１１が受信し、受信した画像印刷データのうち、画像データは画像メモリ２へ格納し、画像印刷条件のデータ（拡大倍率と使用用紙サイズ）は制御部１へ出力する。このようにすれば、以降の動作は前述した動作と同様であるため、ここでは、詳細な動作の説明を省略する。
【００２５】
また、図１における処理部の機能を実現するためのプログラムをコンピュータ読み取り可能な記録媒体に記録して、この記録媒体に記録されたプログラムをコンピュータシステムに読み込ませ、実行することにより画像印刷処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２７】
【図１】本発明の一実施形態の構成を示すブロック図である。
【図２】図１に示す装置の動作を示すフローチャートである。
【図３】余白部（のりしろ）を設ける処理を示す説明図である。
【図４】余白部を周囲に設ける処理を示す説明図である。
【図５】拡大連写機能によって得られる拡大画像を示す説明図である。
【図６】拡大連写機能によって得られる拡大画像を示す説明図である。
【符号の説明】
【００２８】
１・・・制御部、２・・・画像メモリ、３・・・画像読み取り部、４・・・表示部、５・・・入力部、６・・・余白処理部、９・・・コンピュータネットワーク、１０・・・ネットワークインタフェース、１１・・・画像データ入力部
【図１】
2005223833.tif 000003
【図２】
2005223833.tif 000004
【図３】
2005223833.tif 000005
【図４】
2005223833.tif 000006
【図５】
2005223833.tif 000007
【図６】
2005223833.tif 000008